(57)【要約】 【課題】  不正解錠の防止機能を可能なるかぎり高めることができるサイドバー付きのシリンダー錠を提供すること。【解決手段】  シリンダー１２にキー２２が挿入されていない時には、タンブラー１２がホルダー１１の第１係止溝１１ｄに突入し、サイドバー３０がホルダー１１の第２係止溝１１ｅに突入して施錠動作となり、キー２２の挿入によって、タンブラー１４が前記第１係止溝１１ｄから脱出してその切欠凹部１４ａが整列し、前記サイドバー３０が前記切欠凹部１４ａに突入して前記第２係止溝１１ｅから脱出して解錠可能となるシリンダー錠において、前記サイドバー３０は、前方部領域にリブ３１を設けた細長い略直方体形状のサイドバー３０として形成し、上記したリブ３１については、サイドバー３０の短辺方向幅で、その前方部３０ａの先端まで延設させた板状体として形成すると共に、前記タンブラー１４に対向しない位置に設けた構成としてある。【選択図】図２
2014152446.tif 000002
【特許請求の範囲】
【請求項１】
内周面にタンブラーを突入させて係止する第１係止溝と、サイドバーを突入させて係止する第２係止溝とを有するホルダーと、
前記ホルダー内に設け、キーの挿入によって回転可能に設けたシリンダーとを備え、
前記シリンダーには、キーの挿入によって整列する切欠凹部を形成した複数のタンブラーを設けると共に、当該シリンダーに形成した長方形の開口部に収容し、前記タンブラーに向かって付勢した細長い略直方体形状のサイドバーを設け、
キーの非挿入時には、前記タンブラーが第１係止溝に突入し、前記サイドバーの尖端形状の前方部が前記タンブラーの側縁部に当接し、その後方部が前記第２係止溝に突入して施錠動作となり、
キーの挿入によって、前記した複数のタンブラーが前記第１係止溝から脱出すると共に、それらの切欠凹部が整列し、前記サイドバーの前方部が前記切欠凹部に突入すると共に、その後方部が前記第２係止溝から脱出して解錠可能となるシリンダー錠において、
前記サイドバーには、尖端形状の前方部領域に、その直方体の短辺方向幅で、かつ、その前方部の先端まで延設した板状のリブを設け、かつ、前記リブは、前記タンブラーに対向しない位置に設けたことを特徴とするシリンダー錠。
【請求項２】
請求項１に記載したシリンダー錠において、
前記タンブラーの切欠凹部は略Ｖ字状に形成し、前記サイドバーの前方部は尖端形の三角断面形状とし、さらに、前記リブはサイドバーの前方部領域に設けたことを特徴するシリンダー錠。
【請求項３】
請求項１に記載したシリンダー錠において、
前記サイドバーのリブは、前記シリンダーに設けられる複数のタンブラーの挿入孔間に対応する位置に設けたことを特徴とするシリンダー錠。
【請求項４】
請求項３に記載したシリンダー錠において、
前記サイドバーには、前記シリンダーに設けられる複数のタンブラーの各々挿入孔間に位置させて複数個のリブを設けたことを特徴とするシリンダー錠。
【発明の詳細な説明】
【技術分野】
【０００１】
本発明は、建物や車輌などのドアに装備されるシリンダー錠に関し、詳しくは、不正解錠の防止機能を高めたサイドバー付きのシリンダー錠に係わる。
【背景技術】
【０００２】
建物や車輌などのドアに装備されているサイドバー付きのシリンダー錠が広く知られている。
図７は、従来例として示したこの種のシリンダー錠の分解斜視図である。
図示する如く、このシリンダー錠は、建物や車輌などのドアに取り付けるホルダー１１、その内部に回転可能に設けられるシリンダー１２、ホルダー１１を覆うカバー１３から構成されている。
ホルダー１１は、亜鉛やアルミニウム等の金属材で略円筒状に形成され、その外周面には位置決め用の突条部１１ａと、逃し溝１１ｂが形成されており、また、このホルダー１１の正面側に突出した円筒部１１ｃの内面には後述するタンブラーを係止する第１係止溝１１ｄと、後述するサイドバーを係止する第２係止溝１１ｅが設けられている。
【０００３】
シリンダー１２は円柱状をなし、これには図８に示した如く、複数のタンブラー１４と一つのサイドバー１５が装備されている。
なお、図８は、シリンダー１２と、タンブラー１４と、サイドバー１５とを示した一部切り欠き分解斜視図である。
また、このシリンダー１２には、図７に示すところのコンストラクションカム１６が軸方向に沿ってスライド可能に配設されている。
なお、ホルダー１１の後側内面には、上記のコンストラクションカム１６を内装する拡孔溝が設けられている。
【０００４】
さらに、シリンダー１２には、図７、図８より分かるように、軸心方向に矩形状に形成したキー挿入孔１２aと、外周面の両側からキー挿入孔１２ａを貫通させるように形成したタンブラー孔１２ｂと、外周面の上側からキー挿入孔１２ａに連通させた長方形の開口部１２ｃとが設けられている。
各タンブラー孔１２ｂには、それぞれタンブラー１４がスプリング１７と共に配設されている。
なお、各タンブラー１４はスプリング１７によってタンブラー孔１２ｂから押し出される方向のバネ勢力を受けている。
【０００５】
上記のサイドバー１５は、図８、図９、図１０に示す如く、シリンダー１２に設けた長方形の開口部１２ｃに合わせた細長い略直方体形状で、前方部（図９、図１０において下側）１５ａが尖端状の三角形断面となっており、また、後方部（図９、図１０において上側）１５ｂは、両端側を段形面とした突形部となっており、その段形面にはバネ受け突起１５ｃが設けられている。
【０００６】
このサイドバー１５は，そのバネ受け突起１５ｃとの間にスプリング１８を介在させた止め金具１９の両端部分の差込部１９ａをシリンダー１２の差込み固定部１２ｄに差し込み固定することで、開口部１２ｃ内に配設される。（図８、図１１参照）
上記のサイドバー１５は、スプリング１８によってシリンダー１２に没入する方向のバネ勢力を受けているが、各タンブラー１４に設けられている切欠凹部１４ａが整列しない限り、その前方部１５ａがタンブラー１４の側縁部に当接するため、その後方部１５ｂが開口部１２ｃから突出してホルダー１１の第２係止溝１１eに突入する。
【０００７】
上記のように、タンブラー１４とサイドバー１５とを組付けたシリンダー１２は、器具を使って各タンブラー１４をシリンダー１２に没入させ、それらの切欠凹部１４ａを整列させると共に、コンストラクションカム１６とそのスプリング２０をシリンダー１２の外周に装備させた状態でホルダー１１内に収納する。
シリンダー１２をホルダー１１に収納させた後にタンブラー１４を第１係止溝１１ｄ内に突入させれば、各タンブラー１４の切欠凹部１４ａが不整列となるから、サイドバー１５の前方部１５ａがタンブラー１４の側縁部に当接するようになり、その後方部１５ｂが第２係止溝１１ｅに突入する。
【０００８】
したがって、図１１に示す動作状態となり、施錠状態となる。
なお、コンストラクションカム１６は、ユーザーキーで解錠可能とし、コンストラクションキーでは解錠不可に切り換えるための切り換えカム機構を構成している。
さらに、上記のように、シリンダー１２を内装させたホルダー１１にはカバー１３が被せられ、また、シリンダー１２の先端面に図１に示したところの蓄光部材２１が配置されている。
【０００９】
上記の施錠状態で、シリンダー１２のキー挿入孔１２ａからキー２２を挿入すると、各タンブラー１４がシリンダー１２に没入するように移動し、第１係止溝１１ｄから脱出する。
したがって、各タンブラー１４の切欠凹部１２aが整列するため、図１２に示すように、サイドバー１５の前方部１５ａが切欠凹部１２ａに突入するように移動し、その後方部１５ｂが第２係止溝１１ｅから脱出する。
この状態で解錠動作となり、シリンダー１２に差し込んだキー２２を回転すれば、シリンダー１２を回転することができる解錠状態となる。
【先行技術文献】
【特許文献】
【００１０】
【特許文献１】特開２００２−２８５７４１号公報
【特許文献１】特開２００６−２３３４２２号公報
【発明の概要】
【発明が解決しようとする課題】
【００１１】
上記したサイドバー付きのシリンダー錠は、ピッキングなどによる不正解錠行為によって、サイドバー１５が第２係止溝１１ｅから強引に脱離され、解錠されてしまうことがある。
例えば、ピッキングによる不正解錠は、細長形の器具をキー挿入孔１２ａから差し入れて各タンブラー１４を第１係止溝１１ｄから脱出させることが行われるが、第１係止溝１１ｄから全てのタンブラー１４を脱出させることが困難であるため、脱出しきれないタンブラーが幾つか残っている状態でシリンダー１２を強引に回転させて解錠しようとする行為が行われることがある。
【００１２】
しかし、このような不正な解除行為に対し、サイドバー１５が第２係止溝１１ｅに確実に突入しておれば、シリンダー１２は回転しないから、不正解錠が防止されるが、しかし、シリンダー１２が強い力で回転されるために、サイドバー１５が第２係止溝１１ｅから脱離されてしまう場合があった。
この理由は、シリンダー１２の強引な回転につられてサイドバー１５が傾くためである。
すなわち、上記した不正解錠時には、図１３に示す如く、シリンダー１２の回転にしたがってサイドバー１５が開口部１２ｃ内で傾くために、第２係止溝１１ｅに対する後方部１５ｂの係止部分が少なくなって、不安定な係止状態となる。
【００１３】
この結果、各タンブラー１４の切欠凹部１４ａが不整列で、サイドバー１５の前方部１５ａがタンブラー１４の側縁部に当接している状態でも、シリンダー１２を強い回転力で回転させることによって、サイドバー１５が第２係止溝１１ｅから脱離することがあるため、サイドバー１５を備えるシリンダー錠においても不正解錠されることがあった。  
そこで、本発明では上記した実情にかんがみ、不正解錠の防止機能を可能なるかぎり高めることを目的としたサイドバー付きのシリンダー錠を提供することを目的とする。
【課題を解決するための手段】
【００１４】
上記した目的を達成するため、本発明では第１の発明として、内周面にタンブラーを突入させて係止する第１係止溝と、サイドバーを突入させて係止する第２係止溝とを有するホルダーと、前記ホルダー内に設け、キーの挿入によって回転可能に設けたシリンダーとを備え、前記シリンダーには、キーの挿入によって整列する切欠凹部を形成した複数のタンブラーを設けると共に、当該シリンダーに形成した長方形の開口部に収容し、前記タンブラーに向かって付勢した細長い略直方体形状のサイドバーを設け、キーの非挿入時には、前記タンブラーが第１係止溝に突入し、前記サイドバーの尖端形状の前方部が前記タンブラーの側縁部に当接し、その後方部が前記第２係止溝に突入して施錠動作となり、キーの挿入によって、前記した複数のタンブラーが前記第１係止溝から脱出すると共に、それらの切欠凹部が整列し、前記サイドバーの前方部が前記切欠凹部に突入すると共に、その後方部が前記第２係止溝から脱出して解錠可能となるシリンダー錠において、  前記サイドバーには、尖端形状の前方部領域に、その直方体の短辺方向幅で、かつ、その前方部の先端まで延設した板状のリブを設け、かつ、前記リブは、前記タンブラーに対向しない位置に設けたことを特徴とするシリンダー錠を提案する。
【００１５】
第２の発明としては、上記した第１の発明のシリンダー錠において、前記タンブラーの切欠凹部は略Ｖ字状に形成し、前記サイドバーの前方部は尖端形の三角断面形状とし、さらに、前記リブはサイドバーの前方部領域に設けたことを特徴するシリンダー錠を提案する。
【００１６】
第３の発明としては、上記した第１の発明のシリンダー錠において、前記サイドバーのリブは、前記シリンダーに設けられる複数のタンブラーの挿入孔間に対応する位置に設けたことを特徴とするシリンダー錠を提案する。
【００１７】
第４の発明としては、上記した第３の発明のシリンダー錠において、前記サイドバーには、前記シリンダーに設けられる複数のタンブラーの各々挿入孔間に位置させて複数個のリブを設けたことを特徴とするシリンダー錠を提案する。
【発明の効果】
【００１８】
本発明のシリンダー錠は、サイドバーの前方部領域にリブを設けたことから、
直方体形状のサイドバーの左右側面と、この左右側面に加えてリブの左右端面とが開口部の内壁面に対接するようになる。
このことから、サイドバーの後方部が第２係止溝に突入している施錠状態で、不正解錠行為が行われ、シリンダーに強い回転力が加わっても、サイドバー左右側面とリブの左右端面とが開口部の内壁面で対接しているため、サイドバーが傾くようなことがない。
この結果、サイドバーが不正解錠行為によって第２係止溝から脱離することがなく、不正解錠を未然に防止することができる。
【００１９】
また、サイドバーに設けるリブは、一つに限らず複数個設けることができるが、このリブは、シリンダーに設けられた各タンブラー孔の間に位置させるように配設し、タンブラーには対向しないように設ける。
【図面の簡単な説明】
【００２０】
【図１】本発明の一実施形態を示すシリンダー錠の分解斜視図である。
【図２】上記したシリンダー錠のシリンダー、タンブラー、サイドバーを示した一部切り欠き斜視図である。
【図３】上記したシリンダー錠に備えたサイドバーの正面図である。
【図４】図３上のＡーＡ線断面図である。
【図５】ホルダーとシリンダーとを断面してキーが挿入されていない状態でのサイドバーの動作を示した断面図である。
【図６】キーを挿入した状態を示す図５同様の断面図である。
【図７】従来例として示したシリンダー錠の分解斜視図である。
【図８】上記した従来のシリンダー錠のシリンダー、タンブラー、サイドバーを示した一部切り欠き斜視図である。
【図９】上記した従来のシリンダー錠に備えたサイドバーの正面図である。
【図１０】図９上のＢーＢ線断面図である。
【図１１】上記した従来のシリンダー錠のホルダーとシリンダーとを断面してキーが挿入されていない状態でのサイドバーの動作を示した断面図である。
【図１２】キーを挿入した状態を示す図１１同様の断面図である。
【図１３】従来のシリンダー錠において、不正解錠行為によってサイドバーが傾き第２係止溝から脱離する状態を示した部分拡大断面図である。
【発明を実施するための形態】
【００２１】
次に、本発明の一実施形態について図面に沿って説明する。
図１は、本実施形態のシリンダー錠を示す分解斜視図で、この図から分かるように、本実施形態のシリンダー錠は、サイドバー３０に特徴があり、サイドバー３０と、このサイドバー３０を収納する開口部３２以外は図７及び図８に示す従来例のシリンダー錠と同じ構成となっている。
したがって、従来例と同じ構成及び部材については同じ参照符号を付してそれらの説明は省略する。
【００２２】
本実施形態のシリンダー錠に備えたサイドバー３０は、図２、図３、図４に示した如く、中程上部を凹面形成した細長い略直方体で、その前方部（図３、図４において下方側）３０ａを三角形断面の尖端状部として形成してあり、また、この前方部３０ａの領域には、２つのリブ３１が適当な間隔をおいて設けてある。
【００２３】
すなわち、上記のリブ３１は、細長い直方体の短辺方向の長さに合わせた寸法幅の板状のもので、前方部３０ａの先端まで延設させた長さのものとして形成してある。
さらに、上記のリブ３１は、シリンダー１２に設けた複数のタンブラー孔間に位置するように設け、タンブラー１４には対向しない位置となっている。
また、上記したサイドバー３０は、中程上部の凹面に２つのばね受け突起３０ｃを設け、また、その凹面の両側に位置する突形部が第１係止溝１１ｅに突入する後方部３０ｂとなっている。
【００２４】
上記のように形成したサイドバー３０は、従来例同様にシリンダー１２設けた開口部３２に収納させてある。
すなわち、シリンダー１２の開口部３２は、サイドバー３０の直方体形状に合わせてシリンダー１２の軸心方向に細長く形成した切り込み孔で、シリンダー１２の外周面からキー挿入孔１２ａに連通させてある。
【００２５】
ただし、本実施形態の開口部３２は、サイドバー３０の形態に合わせ、長方形孔の中程に２つの止め金具１９を固定する差し込み固定部３２ａが設けてある。
具体的には、止め金具１９とサイドバー３０のバネ受け部３０ｃとの間にスプリング１８を係架させると共に、止め金具１９の差込部１９ａを開口部３２の差込み固定部３２ａに差し入れてサイドバー３０を取り付ける構成としてある。（図５参照）
このサイドバー３０は、タンブラー１４を組付けた後にシリンダー１２の開口部３２内に配設され、その後にシリンダー１２が従来例同様に、コンストラクションカム１６などと共にホルダー１１に内装される。
【００２６】
上記の如く構成した本実施形態のシリンダー錠は、キーを挿入しない状態では、
図５に示すように、タンブラー１４が第１係止溝１１ｄに突入し、サイドバー３０の後方部３０ｂが第２係止溝１１ｅに突入して施錠状態となっている。
すなわち、この施錠状態では、サイドバー１４の係止凹部１４ａが整合しないため、サイドバー３０の前方部３０ａがタンブラー１４の側縁部に当接して後退移動し、その後方部３０ｂが第２係止溝１１ｅに突入する。
したがって、施錠状態では、サイドバー３０の左右側面３０ｄ、３０ｅとリブ３１の左右端面３１ａ、３１ｂとが開口部３２の内壁面に対接（或いは、対向）している。（図３、図４参照）
【００２７】
キー２２をシリンダー１２のキー挿入孔１２ａに差し入れると、図６に示すごとく、各タンブラー１４が第１係止溝１１ｄから脱出し、それらの係止凹部１４ａが整列することから、サイドバー３０の前方部３０ａがタンブラー１４の係止凹溝１４ａに突入する。
これより、サイドバー３０が前進移動し、その後方部３０ｂが第２係止溝１１ｅから脱出するから、キー２２を回転させれば、シリンダー１２が回転する解錠状態となる。
なお、サイドバー３０が、前進移動する場合、リブ３１は各々のタンブラー１４の間に進出する。
【００２８】
一方、本実施形態のシリンダー錠では、サイドバー３０にリブ３１を設けたことから、サイドバー３０の後方部３０ｂが第２係止溝１１ｅに突入している施錠状態では、既に述べた通り、サイドバー３０の左右側面３０ｄ、３０ｅに加えリブ３１の左右端面３１ａ、３１ｂが開口部３２の内壁面に対接している。
このことから、不正キーを使ったり、ピッキングなどによって不正解錠行為
が行われ、シリンダー１２に強い回転力が加わったとしても、サイドバー３０が大きい接触面で開口部３２の内壁面に対接しているから、サイドバー３０が傾くようなことがない。
したがって、不正解錠行為によってサイドバー３０が第２係止溝１１ｅから脱離することがないから、不正解錠を未然に防ぐことができる。
【００２９】
以上、好ましい実施形態について説明したが、リブ３１の数は任意に増減することができるが、ただ、リブ３１はタンブラー孔間に対応する位置に設ける必要がある。
また、上記の実施形態では、シリンダー１２の両側からタンブラー１４を差し入れる構造のシリンダー錠について説明したが、シリンダー１２の一方側からタンブラーを差し入れる構成のシリンダー錠についても同様に実施することができる。
【産業上の利用可能性】
【００３０】
建物や車輌のドアに備えるシリンダー錠として適用することができる。
【符号の説明】
【００３１】
１１  ホルダー
１１ｄ  第１係止溝
１１ｅ  第２係止溝
１２  シリンダー
１４  タンブラー
１４ａ、係止凹部
１８  スプリング
１９  止め金具
１９ａ  差込み部
２２  キー
３０  サイドバー
３０ａ  前方部
３０ｂ  後方部
３０ｃ  バネ受け突起
３０ｄ、３０ｂ  左右側面
３１  リブ
３１ａ、３１ｂ  左右端面
３２  開口部
３２ａ  差込み固定部
【図１】
2014152446.tif 000003
【図２】
2014152446.tif 000004
【図３】
2014152446.tif 000005
【図４】
2014152446.tif 000006
【図５】
2014152446.tif 000007
【図６】
2014152446.tif 000008
【図７】
2014152446.tif 000009
【図８】
2014152446.tif 000010
【図９】
2014152446.tif 000011
【図１０】
2014152446.tif 000012
【図１１】
2014152446.tif 000013
【図１２】
2014152446.tif 000014
【図１３】
2014152446.tif 000015